(57)【特許請求の範囲】
【請求項１】
レンズ鏡筒の外周に設けられた複数の駆動リングを複数のモータで回動させることによって、レンズ鏡筒内の複数の移動レンズを駆動させるレンズ駆動装置において、
前記複数のモータのうちの少なくとも２つのモータは、１つの共通の支持部材に支持され、前記支持部材をレンズ鏡筒に取り付けるための取付部が、前記２つのモータを挟んで対向した両端部に形成され、該２つの取付部がそれぞれ前記レンズ鏡筒に対して進退自在に構成されていることを特徴とするレンズ駆動装置。
【発明の詳細な説明】
【０００１】
【発明の属する技術分野】
本発明は、レンズ駆動装置に係り、特にテレビカメラ用のレンズ装置に取り付けられるレンズ駆動装置に関する。
【０００２】
【従来の技術】
レンズ駆動装置は、フォーカス用モータ、ズーム用モータ、及びアイリス用モータを備え、これらの各モータの出力軸に伝達ギヤが取り付けられている。この伝達ギヤはそれぞれ、レンズ装置側のフォーカスリング、ズームリング、アイリスリングに設けられたフォーカス用リングギヤ、ズーム用リングギヤ、アイリス用リングギヤに噛み合わされている。これにより、前記各モータが駆動されると、フォーカスリング、ズームリング、アイリスリングが駆動されてフォーカシング、ズーミング、アイリス調整が行われる。
【０００３】
ところで、前記フォーカス駆動用モータ、ズーム駆動用モータ、アイリス駆動用モータはそれぞれ、別々の支持部材によってレンズ鏡筒に取り付けられている。支持部材は、一般にレンズ鏡筒に対してスライド自在、または揺動自在に設けられ、この支持部材をスライドさせたり揺動させることによって各モータをレンズ鏡筒に対して進退移動させ、モータ側の伝達ギヤと駆動リング側のリングギヤとの噛み合いを調整していた。
【０００４】
また、特許第２７７３２３０号公報に開示されているレンズ駆動装置も、フォーカス駆動用モータ、ズーム駆動用モータ、アイリス駆動用モータがそれぞれ別々の支持部材によってレンズ鏡筒に取り付けられていた。
【０００５】
【発明が解決しようとする課題】
しかしながら、従来のレンズ駆動装置は、モータがそれぞれ別々の支持部材によってレンズ鏡筒に取り付けられていたので、支持部材の取り付け部分のスペースが大きくなり、レンズ駆動装置が大型化するという欠点があった。
【０００６】
本発明はこのような事情に鑑みて成されたもので、小型化することができるレンズ駆動装置を提供することを目的とする。
【０００７】
【課題を解決するための手段】
本発明は前記目的を達成するために、レンズ鏡筒の外周に設けられた複数の駆動リングを複数のモータで回動させることによって、レンズ鏡筒内の複数の移動レンズを駆動させるレンズ駆動装置において、
前記複数のモータのうちの少なくとも２つのモータは、１つの共通の支持部材に支持され、前記支持部材をレンズ鏡筒に取り付けるための取付部が、前記２つのモータを挟んで対向した両端部に形成され、該２つの取付部がそれぞれ前記レンズ鏡筒に対して進退自在に構成されていることを特徴とする。
【０００８】
本発明によれば、複数のモータのうちの少なくとも２つのモータが、１つの支持部材によってレンズ鏡筒に取り付けられているので、２つのモータが別々の支持部材によって取り付けられている場合に比べて、支持部材を取り付けるための取付スペースが小さくなり、レンズ駆動装置全体を小型化することができる。また、本発明によれば、支持部材の個数が減るので、支持部材の取付工数が減ってコストを削減することができる。
【０００９】
【発明の実施の形態】
以下添付図面に従って本発明に係るレンズ駆動装置の好ましい実施の形態について詳説する。
【００１０】
図１、図２及び図３は、本発明の実施の形態のレンズ駆動装置１２が適用されたレンズ装置１０の正面図、平面図及び側面図である。同図に示すように、レンズ装置１０は、レンズ鏡筒１４を有し、このレンズ鏡筒１４の先端にフード１６が取り付けられるとともに、後端の連結部１８にて図示しないテレビカメラ本体に取り付けられるようになっている。レンズ鏡筒１４の外周面には、フォーカスリング２０、ズームリング２２及びアイリスリング２４が設けられ、レンズ鏡筒１４の内部には、図示しないフォーカスレンズ、ズームレンズ、アイリスが設けられている。そして、前記フォーカスリング２０、ズームリング２２、アイリスリング２４を回動させることによってフォーカスレンズ、ズームレンズ、アイリスが駆動されてフォーカシング、ズーミング、アイリス調整が行われる。また、フォーカスリング２０にはフォーカス用リングギヤ２１が、ズームリング２２にはズーム用リングギヤ２３が、そして、アイリスリング２４にはアイリス用リングギヤ２５が設けられている。
【００１１】
前記ズームリング２２には、雌ねじが刻まれた取付孔２８が形成され、この取付孔２８に円柱状のズームレバー３０が着脱自在に取り付けられている。これにより、カメラマンはズームレバー３０に指をかけてズームリング２２を回動操作することができる。
【００１２】
一方、レンズ駆動装置１２は、ケース３２を有し、このケース３２がビス３４、３４を介してレンズ鏡筒１４の側部に取り付けられている。前記ケース３２の上面には、ズームシーソースイッチ３６、アイリスのオート／マニュアルモード切換スイッチ３８、アイリスモーメンタリースイッチ４０、リターンスイッチ４２等が設けられている。
【００１３】
前記ズームシーソースイッチ３６は、中立位置を基準に揺動自在であり、該ズームシーソースイッチ３６をテレ（Ｔ）側又はワイド（Ｗ）側に操作すると、前記ズームリング２２がテレ側又はワイド側に回動するようになっている。
【００１４】
前記ケース３２の側面には、グリップバンド４４が設けられ、カメラマンはこのグリップバンド４４の中に右手（親指以外の４本の指）を挿入してレンズ鏡筒１４を保持することができる。
【００１５】
ケース３２の後面には、ＶＴＲスイッチ４６、ズーム切換スイッチ４８が配設され、これらスイッチ４６、４８をカメラマンは右手の親指で操作できるようになっている。ＶＴＲスイッチ４６は、撮影中の映像をビデオテープに記録（録画）する際の録画開始／終了を操作するためのスイッチであり、押しボタンタイプで構成される。前記ズーム切換スイッチ４８も押しボタンタイプに構成され、切換スイッチ４８を押すとズームが定速制御となる。
【００１６】
また、ケース３２の後面には、カメラマンが右手で前記レンズ鏡筒１４を保持した際に親指が当たらない位置にねじ孔５０（図３のみ図示）が形成され、図１、図２に２点鎖線で示すように、このねじ孔５０に前記ズームレバー３０を螺着することができる。これにより、前記ズームレバー３０を使用せずにズームリング２２を手で直接回動する場合には、前記ズームリング２２の外周面に形成された取付孔２８からズームレバー３０を取り外し、該ズームレバー３０を前記ねじ孔５０に仮止めとして螺着しておくことができるので、ズームレバー３０を紛失することがなく、また、仮止めしたズームレバー３０が、各スイッチの押動操作の邪魔にならない。
【００１７】
図４に示すように、ケース３２の内部には、フォーカス駆動用モータ５２、ズーム駆動用モータ５４、アイリス駆動用モータ（図示せず）が配設されている。フォーカス駆動用モータ５２の出力軸５２Ａ、ズーム駆動用モータ５４の出力軸５４Ａにはそれぞれ、フォーカス用伝達ギヤ５６、ズーム用伝達ギヤ５８が取り付けられ、この伝達ギヤ５６、５８がそれぞれ、前記フォーカス用リングギヤ２１、ズーム用リングギヤ２３に歯合されている。これにより、フォーカス駆動用モータ５２、ズーム駆動用モータ５４を駆動すると、前記伝達ギヤ５６、５８を介してフォーカスリング２０、ズームリング２２が回動し、フォーカシング、ズーミングが行われる。
【００１８】
図４に示すように、前記フォーカス駆動用モータ５２、ズーム駆動用モータ５４は、一体成形された樹脂製のモータケース（支持部材に相当）６０に収納されて取り付けられている。このモータケース６０には、フォーカス駆動用モータ５２、ズーム駆動用モータ５４を挟んで上下端部に２つのブラケット（取付部に相当）６０Ａ、６０Ｂが突出形成され、このブラケット６０Ａ、６０Ｂが、図５に示すように、ねじ６２、６３、６４によってケース３２のベース部３２Ａ、３２Ｂに取り付けられている。ブラケット６０Ａとベース部３２Ａとの間、及びブラケット６０Ｂとベース部３２Ｂとの間には、ばね６６が配設され、このばね６６によってブラケット６０Ａ、６０Ｂがレンズ鏡筒１４から離れる方向に付勢されている。したがって、前記ねじ６２、６３、６４の螺入量を調節することによって、モータケース６０の位置をレンズ鏡筒１４に対して接近させたり離したりすることができる。前記ブラケット６０Ａ、６０Ｂは、上下２ヶ所に設けられているので、いずれか一方のブラケット６０Ａ、６０Ｂにおいてねじ６２、６３、６４の螺入量を調節することによって、モータケース６０を揺動させることができ、前記伝達ギヤ５６、５８の位置を調節することができる。また、図４に示したように、上側のブラケット６０Ａには、レンズ鏡筒１４の前後方向に２個のねじ６２、６３が配設されているので、この２個のねじ６２、６３の螺入量を調節することによって、モータケース６０の角度も調節することができる。なお、モータケース６０をレンズ鏡筒１４に対して進退方向にスライドさせるためのガイド（例えば、ブラケット６０Ａ、６０Ｂのレンズ鏡筒１４側に垂設された突出部と、該突出部が嵌入されるケース３２側の孔）を設けておくと、前記モータケース６０の取付を容易に行うことができる。
【００１９】
次に、上記の如く構成されたレンズ駆動装置１２の作用について図６に基づいて説明する。
【００２０】
フォーカス用伝達ギヤ５６とフォーカス用リングギヤ２１、及びズーム用伝達ギヤ５８とズーム用リングギヤ２３との噛み合い調整は、以下のようにして行われる。
【００２１】
まず、図６（Ａ）に示すように、上側のブラケット６０Ａのねじ６２、６３を固定したまま、下側のブラケット６０Ｂのねじ６４の螺入量を調節し、上側のブラケット６０Ａを支点としてモータケース６０を揺動させる。そして、ズーム用伝達ギヤ５８をズーム用リングギヤ２３に対して進退移動させ、ズーム用伝達ギヤ５８をズーム用リングギヤ２３に歯合させる。
【００２２】
次に、図６（Ｂ）に示すように、下側のブラケット６０Ｂのねじ６４を固定したまま、上側のブラケット６０Ａのねじ６２、６３の螺入量を調節する。これにより、下側のブラケット６０Ｂを支点としてモータケース６０が揺動し、フォーカス用伝達ギヤ５６がフォーカス用リングギヤ２１に対して進退移動する。このとき、フォーカス用伝達ギヤ５６は、支点（ブラケット６０Ｂ）に近接しているので、殆ど移動しない。したがって、ズーム用伝達ギヤ５８とズーム用リングギヤ２３との歯合状態を維持したまま、フォーカス用伝達ギヤ５６をフォーカス用リングギヤ２１に歯合させることができる。
【００２３】
さらにこの状態で、上側のブラケット６０Ａのねじ６３の螺入量を調節し、モータケース６０に収納されたフォーカス駆動用ギヤ５２、ズーム駆動用ギヤ５４の角度を微調節をする。以上の操作により、フォーカス用伝達ギヤ５６、ズーム用伝達ギヤ５８がフォーカス駆動用ギヤ２１、ズーム用リングギヤ２３に噛み合い調節される。これにより、レンズ駆動装置１２の各スイッチを押動操作した際に、フォーカシング、ズーミングの電動操作が正確に行われる。
【００２４】
このように、本実施の形態のレンズ駆動装置１２によれば、ブラケット６０Ａ、６０Ｂをレンズ鏡筒１４に対して進退自在に設けたので、フォーカス駆動用モータ５２とズーム駆動用モータ５４とを１つのモータケース６０に収納しても、フォーカス用伝達ギヤ５６とフォーカス用リングギヤ２１、及びズーム用伝達ギヤ５８とズーム用リングギヤ２３の両方の噛み合いを調節することができる。したがって、レンズ駆動装置１２によれば、フォーカス駆動用モータ５２とズーム駆動用モータ５４を別々のモータケースに収納した場合と同様の噛み合い調整機能を維持したまま、モータケース６０を取り付けるための取付スペースを小さくすることができる。これにより、レンズ駆動装置１２を小型化することができる。
【００２５】
また、本実施の形態によれば、別々のモータケースに収納して取り付ける場合に比べて、モータケース６０のブラケット６０Ａ、６０Ｂの数が減るので、取り付けにかかる工数を減らすことができる。
【００２６】
ところで、上記の如く構成されたレンズ駆動装置１２は、手動操作によってもズーミングすることができる。この場合、一般に、カメラマンは、前記ズームレバー３０に指を引っかけてズームリング２２を回動する。しかし、ズームレバー３０が適切な位置にない場合には、前記ズームレバー３０をズームリング２２の取付孔２８から外し、ズームリング２２を直接把持して回動する。このとき、取り外したズームレバー２８は、ケース３２に形成したねじ孔５０に螺着しておく。これにより、取り外したズームレバー３０が紛失することを防止することができる。
【００２７】
なお、上述した実施の形態では、ズーム用伝達ギヤ５８とズーム用リングギヤ２３とを先に歯合させたが、フォーカス用伝達ギヤ５６とフォーカス用リングギヤ２１とを先に歯合させてもよい。
【００２８】
また、上述した実施の形態では、フォーカス駆動用モータ５２とズーム駆動用モータ５４を１つのモータケース６０に収納した例を示したが、これに限られるものではなく、アイリス駆動用モータ（図示せず）と、フォーカス駆動用モータ５２又はズーム駆動用モータ５４とを１つのモータケースに収納しても、上述した実施の形態と同様の効果を得ることができる。
【００２９】
また、上述した実施の形態は、２つのモータが１つのモータケース６０に収納されてレンズ鏡筒１４に取り付けられた例で説明したが、１つの支持部材によってレンズ鏡筒１４に取り付けられる構造であればよい。例えば、両端がレンズ鏡筒１４に対して進退自在に設けられた平板に、２つのモータをＵ字状の取付金具によって取り付けた構造であってもよい。
【００３０】
また、取り外したズームレバー３０を螺着しておくねじ孔５０の位置は、上述した実施の形態に限られるものではなく、ケース３２の前面や、レンズ鏡筒１４に設けてもよい。
【００３１】
さらに、上述した実施の形態では、ズームレバー３０を着脱式にしたが、これに限られるものではなく、出没式のズームレバーや、折り畳み式のズームレバーであってもよい。出没式のズームレバーは、例えば、ズームレバーを一段押下操作すると、ズームレバーがレンズ鏡筒１４に没入した状態で固定され、この状態でさらにもう一段押下操作すると、元の突出状態に戻るように構成する。また、折り畳み式のズームレバーは、例えば、一旦外側に引っ張ると、折り畳むことができるように構成する。このようなズームレバーの場合、ズームレバーを取り外さなくても、ズームレバーがズームリング２２の外周面から突出しなくなるので、操作性がよい。
【００３２】
【発明の効果】
以上説明したように本発明に係るレンズ駆動装置によれば、複数のモータのうちの少なくとも２つのモータが、１つの支持部材によってレンズ鏡筒に取り付けられているので、２つのモータが別々の支持部材によって取り付けられている場合に比べて、支持部材の取り付け部分のスペースが減り、レンズ駆動装置全体を小型化することができる。
【図面の簡単な説明】
【図１】本発明の実施の形態のレンズ駆動装置が適用されたレンズ装置の正面図
【図２】図１に示したレンズ装置の平面図
【図３】図１に示したレンズ装置の側面図
【図４】レンズ駆動装置の要部の構造を示す正面断面図
【図５】レンズ駆動装置の要部の構造を示す側面断面図
【図６】レンズ駆動装置の作用を示す説明図
【符号の説明】
１０…レンズ装置、１２…レンズ駆動装置、１４…レンズ鏡筒、２０…フォーカスリング、２１…フォーカス用リングギヤ、２２…ズームリング、２３…ズーム用リングギヤ、２４…アイリスリング、２５…アイリス用リングギヤ、３０…ズームレバー、５０…ねじ孔、５２…フォーカス駆動用モータ、５４…ズーム駆動用モータ、６０…モータケース、６０Ａ、６０Ｂ…ブラケット
【図１】
0004370644.tif 000002
【図２】
0004370644.tif 000003
【図３】
0004370644.tif 000004
【図４】
0004370644.tif 000005
【図５】
0004370644.tif 000006
【図６】
0004370644.tif 000007